(57)【要約】      （修正有）【課題】人の足部横アーチ高を簡便に計測するために、足部のランドマークに対してレーザー光線で直線を引けるように工夫した足部横アーチ高の計測装置を提供する。【解決手段】ヒトの足底アーチにおける横アーチの頂点位置を計測する足部横アーチ高の計測装置であり、レーザー照射板１、足置き台、デジタルノギス、パイプを加工し取り付けたメジャー、レーザー墨出し器、三脚を備え、前記レーザー照射板は、左右計測可能に取り付けられている。【選択図】図１
0003221863.tif 000002
【実用新案登録請求の範囲】
【請求項１】
レーザー照射板（１）は足部が直角になるように取り外し可能型にする。レーザー照射板（１）と計測しない反対測の足置き台（２）の裏面には滑り止めのための凹凸シールを貼付する。
【考案の詳細な説明】
【技術分野】
【０００１】  本考案は、レーザー照射板（１）と計測しない脚の足置き台（２）とデジタルノギス（３）、パイプを加工したメジャー（４）を使用することで、足部横アーチ高が計測できる足部横アーチ高の計測装置に関するものである。
足部横アーチ高とは、第１中足骨頭と第５中足骨頭、第２趾先端と踵骨後縁にマーキングを行い、それぞれ直線を結び、その２つの直線が交わった点の足底面からの高さを計測する。第１中足骨頭と第５中足骨頭までの距離を足底面からの高さで除算し、足部横アーチ高とする。
さらにレーザー墨出し器（５）を用いることで、足部に線を引かずに短時間でより再現性の高い足部横アーチ高が計測できる足部横アーチ高の計測装置に関するものである。
足部アーチは、構造上、内側縦・外側縦・横アーチに分類されることがあり、各々が異なった役割を担っている。横アーチは衝撃吸収と足趾機能向上に貢献している。横アーチは中足骨頭レベル、中足骨底レベル、足根骨レベルに分類される。縦アーチは、歩行時に足部のアーチが低下しないように母趾を伸展させ、足底筋膜を巻き上げ、足部の安定を図るためのウインドラス機構が広く知られている。縦アーチは、内側縦アーチ、外側縦アーチに分類される。
本考案は、足部横アーチの中足骨頭レベルの高さを計測するものである。
【背景技術】
【０００２】  従来、足部横アーチ高の測定においては、Ｆｏｏｔ  Ｐｒｉｎｔや荷重時のＸ線撮影等の角度計測が多く用いられている。足部形態を知るためには、妥当であると言われている。しかし、このような機器は、使用操作が煩雑で又高額な機器が多く、さらに機器が大きく設置には広い場所を必要とした。特定の研究機関や大学病院などに設置されているのみで、一般病院や学校などではほとんど設置されていない。
【考案の概要】
【考案が解決しようとする課題】
【０００３】  これは、次のような欠点があった。
（イ）従来、荷重時のＸ線撮影での評価は、理学療法の臨床場面で簡便に測定することは不可能である。また、Ｆｏｏｔ  Ｐｒｉｎｔ上の評価は信頼性に関して検討されているが、報告者によって見解が異なっている。今回考案した足部横アーチ高の計測装置は、これらの非効率、低時間効率、極めて簡易的な測定装置で改善可能とした。
（ロ）従来これらの足部横アーチ高測定は、臨床場面では徒手で測定する主観的なものだけであった。今回考案した足部横アーチ高の計測装置は、この問題を解決するために数値で定量化できることを可能とした。製作用の材料は、レーザー墨出し器やデジタルノギス、木材やスペーシアパイプなど市販で調達できて、加工しやすい物を適宜採用できる。
本考案は、これらの欠点を除くためになされたものである。
ヒトの足部横アーチ高を計測するためには、高価な測定機器を所有しなければならず、又コンピューター内蔵の測定機器が多いため操作に要する設定や方法が煩雑であった。さらに測定機器が大きく設置や扱いに困難な場合があった。
本考案は、これらの課題を解決するためになされたものである。
【課題を解決するための手段】
【０００４】  レーザー照射板（１）と計測しない反対測の足置き台（２）とデジタルノギス（３）、パイプを加工したメジャー（４）を設ける。レーザー照射板（１）は足部が直角になるように取り外し可能型にする。また、デジタルノギス（３）とパイプを加工したメジャー（４）には、可動できるよう固定車を取り付ける。計測の再現性を保つために、デジタルノギスとパイプは測定時に直角に当てがうようにする。
以上のように構成された足部横アーチ高の計測装置である。
【考案の効果】
【０００５】  廉価で、また、携帯可能である上に異なる肢位の場面に応じることができる。下肢に変形性関節症等の疾患を持つ患者にも座位での測定が適応である。足部横アーチ高の計測においては、レーザー光線を用いるため、ランドマークに対して精度の高い直線が引くことができ、誤差の少ない計測が可能となる。
床面からの高さをデジタルノギスで計測することで、少数第一までの数値が確認でき、定量的に評価できるため有効である。
パイプを加工したメジャーを取り付けたことで、短時間で精度の高い前足部横幅長が計測できるため有効である。
【図面の簡単な説明】
【０００６】
【図１】レーザー照射板の斜視図である。
【図２】レーザー照射板と反対側に置く、足置き台の斜視図である。
【図３】横アーチ高を計測するデジタルノギスの斜視図である。
【図４】前足部横幅の長さを計測するパイプにメジャーを付けた斜視図である。
【図５】本考案の実施例を示した斜視図である。
【考案を実施するための形態】
【０００７】  レーザー照射板（１）と計測しない反対測の足置き台（２）とデジタルノギス（３）、パイプを加工したメジャー（４）を設ける。レーザー照射板（１）は足のサイズに合うように取り外し可能型にする。
以上のように構成された足部横アーチ高の計測装置である
本考案を使用する時には、片脚をレーザー照射板におき、反対脚を足置き台において立位姿勢を保つ。足のサイズや足部形状が異なることが多いので、適宜形状を変形して使用する。横アーチ高測定時のランドマークに対して、２台のレーザー墨出し器（５）を使用して照射する。レーザーの交わった交点を、デジタルノギスで高さを算出する。前足部の横幅は、パイプを加工したメジャーを用いて、横幅の長さを算出する。前足部の幅の長さに対して、足部横アーチ高の割合を算出して、横アーチ高率とした。
【符号の説明】
【０００８】１  レーザー照射板
２  足置き台
３  デジタルノギス
４  パイプを加工し、取り付けたメジャー
５  レーザー墨出し器
６  三脚
７  プレート金具
８  六角ボルト
９  カスガイ
１０  固定車
【図１】
0003221863.tif 000003
【図２】
0003221863.tif 000004
【図３】
0003221863.tif 000005
【図４】
0003221863.tif 000006
【図５】
0003221863.tif 000007
【手続補正書】
【提出日】平成31年3月31日(2019.3.31)
【手続補正１】
【補正対象書類名】実用新案登録請求の範囲
【補正対象項目名】全文
【補正方法】変更
【補正の内容】
【実用新案登録請求の範囲】
【請求項１】
ヒトの足底アーチにおける横アーチの頂点位置を計測する足部横アーチ高の計測装置であり、レーザー照射板、足置き台、デジタルノギス、パイプを加工し取り付けたメジャー、レーザー墨出し器、三脚を備え、前記レーザー照射板は、左右計測可能に取り付けられている足部横アーチ高の計測装置。
【請求項２】
ヒトの足底の内側部に当接させる板をさらに設け、前記レーザー照射板の長手方向に対して９０度とし、この板をレーザー照射板と直交するよう移動可能に取り付けた請求項１に記載の足部横アーチ高の計測装置。
【請求項３】
計測しない側の脚を置く、足置き台をさらに備え、この足置き台と前記レーザー照射板は底面に凹凸シートを貼着し、滑り止めを設けた請求項１又は２に記載の足部横アーチ高の計測装置。
【請求項４】
横アーチの頂点位置を計測するため、レーザー墨出し器２台と三脚をさらに備え、この三脚に設置した前記レーザー墨出し器で、第１中足骨頭と第５中足骨頭を結ぶように、足部の真上にレーザー光線を照射し、もう一方には別のレーザー墨出し器で、第２趾先端と踵骨後縁を結ぶように、足部の前面にレーザー光線を照射し、レーザー光線を用いるため、精度の高い直線を足部上に引くことを可能とした請求項１〜３にいずれかに記載の足部横アーチ高の計測装置。
【請求項５】
横アーチ高を計測するデジタルノギスをさらに備え、このデジタルノギスは板上に垂直に固定し、床面からの高さを小数第一まで数値が確認可能となるように取り付けた請求項１〜４にいずれかに記載の足部横アーチ高の計測装置。
【請求項６】
前足部の足幅を計測するパイプを加工し取り付けたメジャーをさらに備え、このパイプを加工し取り付けたメジャーは、パイプ上にメジャーを貼着し、パイプを移動可能に取り付け、パイプの間に前足部を差し込み、計測可能に設計した請求項１〜５にいずれかに記載の足部横アーチ高の計測装置。
【請求項７】
足部横アーチ高をレーザー光線を使用してアーチ高を捉え、これによって認識された足部横アーチ高を、デジタルノギスで計測し、前足部の足幅をパイプを加工し付け加えたメジャーで計測し、足部横アーチ高率を算出することを特徴とする足部横アーチの計測装置。